(57)【要約】【課題】撮影装置からそのままウェブログサイトにアップロードできるような画像を作成する。【解決手段】サイズ変換部２０ｇ−１は、ＣＣＤ１３２のシャッタ動作の結果得られた原画像を、ブログ用画像サイズに変換する。ファイル制御部２０ｅは、サイズ変換部２０ｇ−１がリサイズ処理した画像を所定のファイル形式に変換することでブログ用画像を作成する。フォルダ制御部２０ｄは、ブログ用フォルダにブログ用画像を格納するとともに、通常サイズの通常画像を通常用フォルダに格納する。ブログ投稿部２０ｍは、ブログサーバ２と通信可能な状態となったと判断したことに応じ、ブログ用フォルダに格納されているブログ用画像を、ブログサーバ２に送信する。【選択図】  図６
2008034963.tif 000002
【特許請求の範囲】
【請求項１】
被写体から撮影レンズを介して入射した光を受光して継続的に撮影信号に変換して出力する撮影素子、前記撮影素子から出力された撮影信号を画像データに変換して出力する画像データ変換部、前記画像データの記録指示を入力する記録指示部、前記記録指示部が前記記録指示の入力を受け付けたことに応じ、前記撮影素子の露光の制御を行うシャッタ制御部、および前記シャッタ制御部による露光の制御に応じて前記撮影素子から出力された撮影信号の画像データを記憶する記憶部、少なくとも前記記憶部に記憶された画像データを表示する表示部を備える撮影装置であって、
ウェブログサイトで公開する画像ファイルであるウェブログ用画像の記録を行う撮影モードであるウェブログ用画像記録モードを設定するモード設定部と、
前記ウェブログ用画像を格納するウェブログ用フォルダと、写真プリントその他前記ウェブログサイトでの公開以外の用途に供する画像ファイルである通常画像を格納する通常用フォルダを、それぞれ独立別個に所定の記録媒体に作成するフォルダ作成部と、
前記モード設定部が前記ウェブログ用画像記録モードを設定している場合、前記記憶部に記憶された画像データに対して前記ウェブログサイトでの公開に適した所定の処理を行うことで、前記ウェブログ用画像を作成するウェブログ用画像作成部と、
前記記憶部に記憶された画像データに基づいて前記通常画像を作成する通常画像作成部と、
前記通常画像作成部の作成した通常画像を前記通常用フォルダ内に記録するとともに、前記ウェブログ用画像作成部が作成したウェブログ用画像を前記ウェブログ用フォルダ内にそれぞれ記録する記録部と、
を備える撮影装置。
【請求項２】
前記ウェブログ用画像作成部は、前記記憶部に記憶された画像データを前記ウェブログサイトでの公開に適した画像サイズに変換するサイズ変換処理を行うことで前記ウェブログ用画像を作成する請求項１に記載の撮影装置。
【請求項３】
前記ウェブログ用画像作成部は、前記記憶部に記憶された画像データから特定の物体の輪郭を認識した上、前記特定の物体の輪郭に沿って前記特定の物体の画像を抽出する物体抽出処理を行うことで前記ウェブログ用画像を作成する請求項１または２に記載の撮影装置。
【請求項４】
前記ウェブログ用画像作成部は、前記記憶部に記憶された画像データから人物の目領域を認識した上、前記人物の目領域の閲覧を困難にする画像処理を行うことで前記ウェブログ用画像を作成する請求項１〜３のいずれかに記載の撮影装置。
【請求項５】
前記シャッタ制御部は、前記記録指示部が継続的な記録指示の入力を受け付けている間、所定の周期ごとに繰り返し前記撮影素子の露光の制御を行い、
前記ブログ用画像作成部は、前記記録指示部に入力された１度の継続的な記録指示に応じて前記記憶部に記憶された複数の画像データのそれぞれに共通の連写情報を付加する連写情報付加処理を行うことで複数のブログ用画像を作成する請求項１〜４のいずれかに記載の撮影装置。
【請求項６】
前記ブログ用画像作成部は、前記記録指示部に入力された複数の記録指示に応じて前記記憶部に記憶された複数の画像データを１つの静止画像データに一体化する一体化処理を行うことでブログ用画像を作成する請求項１〜５のいずれかに記載の撮影装置。
【請求項７】
前記シャッタ制御部は、前記記録指示部が継続的な記録指示の入力を受け付けている間、継続的に前記撮影素子の露光の制御を行い、
前記ブログ用画像作成部は、前記記録指示部に入力された１度の継続的な記録指示に応じて前記記憶部に記憶された画像データに基づき、前記ウェブログサイトの容量制限に適合する動画像ファイルを作成する動画作成処理を行う請求項１〜６のいずれかに記載の撮影装置。
【請求項８】
前記ウェブログ用画像作成部は、前記記憶部に記憶された画像データに所定のフレーム画像を合成する合成処理を行うことで前記ウェブログ用画像を作成する請求項１〜７のいずれかに記載の撮影装置。
【請求項９】
前記ウェブログサイトと接続したことに応じ、前記ウェブログ用フォルダに記録されたウェブログ用画像を前記ウェブログサイトに送信する送信部と、
前記送信部が送信したウェブログ用画像を前記ウェブログ用フォルダから消去する消去部と、
をさらに備える請求項１〜８のいずれかに記載の撮影装置。
【請求項１０】
前記表示部は、前記ウェブログ用フォルダに記録されたウェブログ用画像または前記通常用フォルダに記録された通常画像のうちいずれか一方または双方の画像データを選択的に表示する請求項１〜９のいずれかに記載の撮影装置。
【請求項１１】
前記モード設定部が前記ウェブログ用画像記録モードを設定したことに応じ、前記ウェブログ画像作成部が行うべき所定の処理を指定する処理指定部をさらに備え、
前記ウェブログ画像作成部は前記処理指定部が指定した所定の処理を行う請求項１〜１０のいずれかに記載の撮影装置。
【請求項１２】
前記処理指定部が指定する所定の処理は、サイズ変換処理、物体抽出処理、被写体人物の目領域の閲覧を困難にする画像処理、同一の記録指示に応じて得られた複数の画像データのそれぞれに共通の連写情報を付加する連写情報付加処理、複数の画像データを１つの静止画像データに一体化する一体化処理、前記ウェブログサイトの容量制限に適合する動画像ファイルを作成する動画作成処理または所定のフレーム画像を合成する合成処理のうち少なくともいずれか１つを含む請求項１１に記載の撮影装置。
【請求項１３】
被写体から撮影レンズを介して入射した光を受光して継続的に撮影信号に変換して出力する撮影素子、前記撮影素子から出力された撮影信号を画像データに変換して出力する画像データ変換部、前記画像データの記録指示を入力する記録指示部、前記記録指示部が前記記録指示の入力を受け付けたことに応じ、前記撮影素子の露光の制御を行うシャッタ制御部、および前記シャッタ制御部による露光の制御に応じて前記撮影素子から出力された撮影信号の画像データを記憶する記憶部、少なくとも前記記憶部に記憶された画像データを表示する表示部を備える撮影装置で用いられる撮影方法であって、
ウェブログサイトで公開する画像ファイルであるウェブログ用画像の記録を行う撮影モードであるウェブログ用画像記録モードを設定するステップと、
前記ウェブログ用画像を格納するウェブログ用フォルダと、写真プリントその他前記ウェブログサイトでの公開以外の用途に供する画像ファイルである通常画像を格納する通常用フォルダを、それぞれ独立別個に所定の記録媒体に作成するステップと、
前記モード設定部が前記ウェブログ用画像記録モードを設定している場合、前記記憶部に記憶された画像データに対して前記ウェブログサイトでの公開に適した所定の処理を行うことで、前記ウェブログ用画像を作成するステップと、
前記記憶部に記憶された画像データに基づいて前記通常画像を作成するステップと、
前記通常画像作成部の作成した通常画像を前記通常用フォルダ内に記録するとともに、前記ウェブログ用画像作成部が作成したウェブログ用画像を前記ウェブログ用フォルダ内にそれぞれ記録するステップと、
を備える撮影方法。
【発明の詳細な説明】
【技術分野】
【０００１】
本発明はウェブログ公開用の画像記録に対応した撮影装置に関する。
【背景技術】
【０００２】
近年、ウェブログ（以下「ブログ」と略称）と呼ばれるインターネット上の日記的なサイトが普及している。ブログとは、専用のフォームからタイトル、文章、画像等の表示コンテンツを入力してブログサーバに送信すると、自動的にそのデザインに表示コンテンツがレイアウトされ、コンテンツが追加されていく。従来のホームページのように、テキストエディタや専用のソフトウェアで作成したり、HTMLファイルを書き換えてアップロードする必要もないから、ブログでは、サイト管理者が自由に文章や画像をアップロードして、日記のように日々簡単に更新することができる。なお、携帯電話やＰＤＡなどの携帯情報端末から表示コンテンツをブログサーバに送信可能なブログ（モバイルブログ、モブログ）も、簡易なブログの一種として普及している。
【０００３】
このブログ上で画像を公開するためには、デジタルカメラで撮影された通常サイズの画像を適当な大きさにリサイズしてアップロードする必要がある。
【０００４】
なお、本願に関連する技術としては、下記特許文献１〜３がある。
【特許文献１】特開２００３−３１９３２６号公報
【特許文献２】特開２００３−３０９７９６号公報
【特許文献３】特開２００３−２７４３４１号公報
【発明の開示】
【発明が解決しようとする課題】
【０００５】
ユーザの利便性を考慮すると、撮影した画像をそのままブログにアップロードできるようにするのが好ましいが、特許文献１〜３の技術では、ブログに適した画像が得られるのではない。本発明は、撮影装置からそのままウェブログサイトにアップロードできるような画像を作成する技術を提供する。
【課題を解決するための手段】
【０００６】
本発明は、被写体から撮影レンズを介して入射した光を受光して継続的に撮影信号に変換して出力する撮影素子、撮影素子から出力された撮影信号を画像データに変換して出力する画像データ変換部、画像データの記録指示を入力する記録指示部、記録指示部が記録指示の入力を受け付けたことに応じ、撮影素子の露光の制御を行うシャッタ制御部、およびシャッタ制御部による露光の制御に応じて撮影素子から出力された撮影信号の画像データを記憶する記憶部、少なくとも記憶部に記憶された画像データを表示する表示部を備える撮影装置に関する。
【０００７】
この撮影装置は、ウェブログサイトで公開する画像ファイルであるウェブログ用画像の記録を行う撮影モードであるウェブログ用画像記録モードを設定するモード設定部と、ウェブログ用画像を格納するウェブログ用フォルダと、写真プリントその他ウェブログサイトでの公開以外の用途に供する画像ファイルである通常画像を格納する通常用フォルダを、それぞれ独立別個に所定の記録媒体に作成するフォルダ作成部と、モード設定部がウェブログ用画像記録モードを設定している場合、記憶部に記憶された画像データに対してウェブログサイトでの公開に適した所定の処理を行うことで、ウェブログ用画像を作成するウェブログ用画像作成部と、記憶部に記憶された画像データに基づいて通常画像を作成する通常画像作成部と、通常画像作成部の作成した通常画像を通常用フォルダ内に記録するとともに、ウェブログ用画像作成部が作成したウェブログ用画像をウェブログ用フォルダ内にそれぞれ記録する記録部と、を備える。
【０００８】
この発明によると、ウェブログ用画像記録モードが設定されている場合、画像記録指示に応じて記憶された画像データに、ウェブログサイトでの公開に適した処理が行われることでウェブログ用画像が作成されるとともに、写真プリントその他の通常の目的に使用される通常画像が別々に作成される。そして、通常画像は通常用フォルダ、ウェブログ用画像はウェブログ用フォルダにそれぞれ格納される。
【０００９】
これにより、ウェブログサイトで公開するのに適した画像を、通常画像の撮影とともに即時に得ることができ、後からユーザ自身がいちいちウェブログ用に画像を加工する手間がなく、ウェブログサイトへ画像を送信する際の利便性が向上する。
【００１０】
また、ウェブログ用画像は通常画像とは別のフォルダに区別されて格納されるから、せっかく作成したウェブログ用画像が通常画像と混在して区別できなくなることもない。
【００１１】
一例として、ウェブログ用画像作成部は、記憶部に記憶された画像データをウェブログサイトでの公開に適した画像サイズに変換するサイズ変換処理を行うことでウェブログ用画像を作成する。
【００１２】
こうすると、ユーザが自分で画像のサイズをいちいち変換する必要がなく、ウェブログサイトへ画像を送信する際の利便性が向上する。
【００１３】
一例として、ウェブログ用画像作成部は、記憶部に記憶された画像データから特定の物体の輪郭を認識した上、特定の物体の輪郭に沿って特定の物体の画像を抽出する物体抽出処理を行うことでウェブログ用画像を作成する。
【００１４】
こうすると、ユーザが特定の物体の画像を公開したい場合に自分で画像の不要な背景部分を取り除く必要がなく、ウェブログサイトへ画像を送信する際の利便性が向上する。
【００１５】
一例として、ウェブログ用画像作成部は、記憶部に記憶された画像データから人物の目領域を認識した上、人物の目領域の閲覧を困難にする画像処理を行うことでウェブログ用画像を作成する。
【００１６】
こうすると、ユーザが被写体のプライバシー保護のため画像の目を隠すなどの加工をする必要がなく、ウェブログサイトへ画像を送信する際の利便性が向上する。
【００１７】
一例として、シャッタ制御部は、記録指示部が継続的な記録指示の入力を受け付けている間、所定の周期ごとに繰り返し撮影素子の露光の制御を行い、ブログ用画像作成部は、記録指示部に入力された１度の継続的な記録指示に応じて記憶部に記憶された複数の画像データのそれぞれに共通の連写情報を付加する連写情報付加処理を行うことで複数のブログ用画像を作成する。
【００１８】
こうすると、受信側では、連写情報の異同によって、同一の連続撮影指示で得られた複数の画像を識別することができる。受信側では、同一の連続撮影指示で得られた複数の画像を一枚一枚めくるように表示することもできる。
【００１９】
一例として、ブログ用画像作成部は、記録指示部に入力された複数の記録指示に応じて記憶部に記憶された複数の画像データを１つの静止画像データに一体化する一体化処理を行うことでブログ用画像を作成する。
【００２０】
こうすると、同一の機会で得られた複数の画像を１つの静止画像として公開することができる。
【００２１】
一例として、シャッタ制御部は、記録指示部が継続的な記録指示の入力を受け付けている間、撮影素子の露光の制御を行い、ブログ用画像作成部は、記録指示部に入力された１度の継続的な記録指示に応じて記憶部に記憶された画像データに基づき、ウェブログサイトの容量制限に適合する動画像ファイルを作成する動画作成処理を行う。
【００２２】
こうすると、ユーザが特別な操作をしなくても、ウェブログサイトの容量制限に適合する動画ファイルを得ることができる。
【００２３】
一例として、ウェブログ用画像作成部は、記憶部に記憶された画像データに所定のフレーム画像を合成する合成処理を行うことでウェブログ用画像を作成する。
【００２４】
こうすると、ユーザが特別な操作をしなくても、ウェブログ画像に所望のフレーム画像を合成して公開できる。
【００２５】
この撮影装置は、ウェブログサイトと接続したことに応じ、ウェブログ用フォルダに記録されたウェブログ用画像をウェブログサイトに送信する送信部と、送信部が送信したウェブログ用画像をウェブログ用フォルダから消去する消去部と、をさらに備えてもよい。
【００２６】
すなわち、ウェブログ用画像が自動で送信されるから、ユーザは特別な操作をしなくてもよい。また、送信済みのウェブログ画像は削除されるから、ユーザは自分で不要なウェブログ用画像を整理する必要がない。
【００２７】
表示部はウェブログ用フォルダに記録されたウェブログ用画像または前記通常用フォルダに記録された通常画像のうちいずれか一方または双方の画像データを選択的に表示することが好ましい。
【００２８】
こうすると、同様の内容の通常画像とウェブログ用画像の双方が重複して表示されるのを防げるし、両方鑑賞したい場合にも対処できる。
【００２９】
この撮影装置は、モード設定部がウェブログ用画像記録モードを設定したことに応じ、ウェブログ画像作成部が行うべき所定の処理を指定する処理指定部をさらに備え、ウェブログ画像作成部は処理指定部が指定した所定の処理を行うようにしてもよい。
【００３０】
すなわち、ユーザが希望する任意の処理によってウェブログ用画像を作成できる。
【００３１】
なお、処理指定部が指定する所定の処理は、サイズ変換処理、物体抽出処理、被写体人物の目領域の閲覧を困難にする画像処理、同一の記録指示に応じて得られた複数の画像データのそれぞれに共通の連写情報を付加する連写情報付加処理、複数の画像データを１つの静止画像データに一体化する一体化処理、ウェブログサイトの容量制限に適合する動画像ファイルを作成する動画作成処理または所定のフレーム画像を合成する合成処理のうち少なくともいずれか１つを含む。
【００３２】
本発明は、被写体から撮影レンズを介して入射した光を受光して継続的に撮影信号に変換して出力する撮影素子、撮影素子から出力された撮影信号を画像データに変換して出力する画像データ変換部、画像データの記録指示を入力する記録指示部、記録指示部が記録指示の入力を受け付けたことに応じ、撮影素子の露光の制御を行うシャッタ制御部、およびシャッタ制御部による露光の制御に応じて撮影素子から出力された撮影信号の画像データを記憶する記憶部、少なくとも記憶部に記憶された画像データを表示する表示部を備える撮影装置で用いられる撮影方法に関する。
【００３３】
この撮影方法は、ウェブログサイトで公開する画像ファイルであるウェブログ用画像の記録を行う撮影モードであるウェブログ用画像記録モードを設定するステップと、ウェブログ用画像を格納するウェブログ用フォルダと、写真プリントその他ウェブログサイトでの公開以外の用途に供する画像ファイルである通常画像を格納する通常用フォルダを、それぞれ独立別個に所定の記録媒体に作成するステップと、モード設定部がウェブログ用画像記録モードを設定している場合、記憶部に記憶された画像データに対してウェブログサイトでの公開に適した所定の処理を行うことで、ウェブログ用画像を作成するステップと、記憶部に記憶された画像データに基づいて通常画像を作成するステップと、通常画像作成部の作成した通常画像を通常用フォルダ内に記録するとともに、ウェブログ用画像作成部が作成したウェブログ用画像をウェブログ用フォルダ内にそれぞれ記録するステップと、を備える。
【発明を実施するための最良の形態】
【００３４】
以下、添付した図面を参照し本発明の好ましい実施の形態を説明する。
【００３５】
図１は、本発明の好ましい実施形態に係るデジタルカメラ（以下カメラと略す）１００の正面図である。
【００３６】
カメラ１００の正面に配備されたレンズ鏡胴６０には、ズームレンズ１０１ａ及びフォーカスレンズ１０１ｂを含む撮影レンズ１０１が内蔵されており、ズームレンズ１０１ａを光軸方向に移動させることで焦点距離調節が行なわれるとともに、フォーカスレンズ１０１ｂを光軸方向に移動させることによりピント調節が行なわれる。
【００３７】
レンズ鏡胴６０は、カメラボディ１８０に沈胴した状態から、予め設定された最短焦点距離位置であるワイド端と最長焦点距離位置であるテレ端との間で進退することで、カメラボディ１８０から繰り出し、また収納される。この図では、レンズ鏡胴６０がカメラボディ１８０に沈胴した状態が示されている。
【００３８】
またカメラ１００には、非撮影時には撮影レンズ１０１の前面を覆って撮影レンズ１０１と外界とを遮ることで撮影レンズ１０１を保護する状態をつくり出すとともに、撮像時には撮像レンズを外界に露出するレンズカバー６１が設けられている。
【００３９】
レンズカバー６１は開閉自在な機構で構成されており、開放状態で撮影レンズ１０１の前面を覆い、閉鎖状態で撮影レンズ１０１の前面を外界に露出する。レンズカバー６１は電源スイッチ１２１のオン／オフに連動して開放／閉鎖される。この図ではレンズカバー６１は開放状態となっている。
【００４０】
カメラ１００の上面には、中央部分にレリーズスイッチ１０４の配備されたモードダイヤル１２３と電源スイッチ１２１とが配備されており、正面には、ストロボ１０５ａ、ＡＦ補助光ランプ１０５ｂ、セルフタイマランプ１０５ｃ等が配備されている。
【００４１】
図２はカメラ１００の背面図である。カメラ１００の背面には、ズームスイッチ１２７が配備されている。ズームスイッチ１２７のワイド（Ｗ）側を押すと、押し続けている間、レンズ鏡胴６０がワイド端（望遠）側に繰り出し、テレ（Ｔ）側の他方を押すと、押し続けている間、レンズ鏡胴６０がテレ端（広角）側に移動する。
【００４２】
カメラ１００の背面には、画像表示ＬＣＤ１０２、十字キー１２４、情報位置指定キー１２６、「ブログモード」ボタン１２８等も設けられている。十字キー１２４は、上下左右がそれぞれ表示明るさ調節／セルフタイマ／マクロ撮影／ストロボ撮影を設定する操作系である。後述するが、十字キー１２４の下キーを押下することで、セルフタイマ回路８３の計時完了後にメインＣＰＵ２０がＣＣＤ１３２にシャッタ動作を行わせるセルフ撮影モードの設定を行える。
【００４３】
図３は第１実施形態に係るカメラ１００のブロック図である。カメラ１００にはユーザがこのカメラ１００を使用するときに種々の操作を行なうための操作部１２０が設けられている。この操作部１２０には、カメラ１００を作動させるための電源投入用の電源スイッチ１２１、オート撮影やマニュアル撮影等を選択するためのモードダイヤル１２３、各種のメニューの設定や選択あるいはズームを行なうための十字キー１２４、閃光発光用スイッチ１２５、および十字キー１２４で選択されたメニューの実行やキャンセル等を行なうための情報位置指定キー１２６が備えられている。
【００４４】
また、カメラ１００には、撮影画像や再生画像等を表示するための画像表示ＬＣＤ１０２と、操作の手助けを行なうための操作ＬＣＤ表示１０３が備えられている。
【００４５】
このカメラ１００にはレリーズスイッチ１０４が配備されている。このレリーズスイッチ１０４によって撮影の開始指示がメインＣＰＵ２０へと伝えられる。このカメラ１００では所定のメニュー画面によって撮影と再生との切り替えが自在になっている。また、カメラ１００には、コントラストＡＦ時に被写体に投光スポットを照射するための発光ダイオード（ＬＥＤ）からなるＡＦ補助光ランプ１０５ｂ、閃光を発光するストロボ１０５ａを有する閃光発光装置が配備されている。
【００４６】
また、カメラ１００には、撮影レンズ１０１と、絞り１３１と、撮影レンズ１０１および絞り１３１を経由して結像された被写体像をアナログの画像信号に変換する撮像素子であるＣＣＤセンサ１３２（以下ＣＣＤ１３２と略記する）とが備えられている。ＣＣＤ１３２は、ＣＣＤ１３２に照射された被写体光により発生した電荷を可変の電荷蓄積時間（露光期間）の間蓄積することにより画像信号を生成するものである。ＣＣＤ１３２からは、ＣＧ部１３６から出力される垂直同期信号ＶＤに同期したタイミングでフレーム毎の画像信号が順次出力される。
【００４７】
撮像素子にＣＣＤ１３２を用いた場合には、色偽信号やモアレ縞等の発生を防止するために、入射光内の不要な高周波成分を除去する光学的ローパスフィルタ１３２ａが配設されている。また、入射光内の赤外線を吸収若しくは反射して、長波長域で感度が高いＣＣＤセンサ１３２固有の感度特性を補正する赤外カットフィルタ１３２ｂが配設されている。光学的ローパスフィルタ１３２ａ及び赤外カットフィルタ１３２ｂの具体的な配設の態様は特に限定されない。
【００４８】
また、カメラ１００には、ＣＣＤセンサ１３２からのアナログ画像信号が表わす被写体像のホワイトバランスを合わせるとともにその被写体像の階調特性における直線の傾き（γ）を調節し、さらにアナログ画像信号を増幅する増幅率可変の増幅器を含む白バランス・γ処理部１３３が備えられている。
【００４９】
さらに、カメラ１００には、白バランス・γ処理部１３３からのアナログ信号をディジタルのＲ，Ｇ，Ｂ画像データにＡ／Ｄ変換するＡ／Ｄ変換部１３４と、そのＡ／Ｄ変換部１３４からのＲ，Ｇ，Ｂ画像データを格納するバッファメモリ１３５が備えられている。
【００５０】
Ａ／Ｄ変換部１３４によって得られたＲ，Ｇ，Ｂ画像データは、ＡＦ検出部１５０にも入力される。ＡＦ検出部１５０は、Ｒ，Ｇ，Ｂ画像データを１画面の所定の分割エリア毎にかつ同じ色成分毎に積算平均し、さらにフレームごとに、全エリアのＲ，Ｇ，Ｂ画像データの積算平均値Ｉｒ，Ｉｇ，Ｉｂを算出する。この積算平均値Ｉｒ，Ｉｇ，ＩｂをＲ，Ｇ，Ｂの可視光の受光量とする。
【００５１】
ただし、Ｒ，Ｇ，Ｂの可視光の受光量Ｉｒ，Ｉｇ，Ｉｂは、Ｒ、Ｇ、Ｂの可視光にそれぞれ感度を有するＣＣＤ１３２以外の受光センサ（図示せず）によって検出することも可能である。
【００５２】
また、カメラ１００には、ＣＧ（クロックジェネレータ）部１３６と、測光・測距用ＣＰＵ１３７と、充電・発光制御部１３８と、通信制御部１３９と、ＹＣ処理部１４０と、電源電池６８とが備えられている。
【００５３】
ＣＧ部１３６は、ＣＣＤセンサ１３２を駆動するための垂直同期信号ＶＤ，高速掃き出しパルスＰを含む駆動信号、白バランス・γ処理部１３３，Ａ／Ｄ変換部１３４を制御する制御信号、および通信制御部１３９を制御する制御信号を出力する。また、このＣＧ部１３６には、測光・測距用ＣＰＵ１３７からの制御信号が入力される。
【００５４】
測光・測距用ＣＰＵ１３７は、ズーム用モータ１１０、フォーカス用モータ１１１、絞り調節を行う絞り用モータ１１２を制御してズームレンズ１０１ａ、フォーカスレンズ１０１ｂ、絞り１３１をそれぞれ駆動することにより被写体までの距離の算出（測距）を行ない、ＣＧ部１３６および充電・発光制御部１３８を制御する。ズーム用モータ１１０、フォーカス用モータ１１１、絞り用モータ１１２の駆動は、モータドライバ６２によって制御され、モータドライバ６２の制御コマンドは、測光・測距用ＣＰＵ１３７あるいはメインＣＰＵ２０から送られる。
【００５５】
なお、ズームレンズ１０１ａ、フォーカスレンズ１０１ｂ、絞り１３１、ＡＦ補助光照射角の駆動源は、ズーム用モータ１１０、フォーカス用モータ１１１、絞り用モータ１１２のような各種モータに限定する必然性はなく、アクチュエータなどであってもよい。
【００５６】
測光・測距用ＣＰＵ１３７は、レリーズスイッチ１０４が半押し（Ｓ１オン）されると、ＣＣＤ１３２によって周期的（１／30秒から１／60秒ごと）に得られる画像データ（スルー画像）に基づいて被写体の明るさの測光（ＥＶ値の算出）を行う。
【００５７】
即ち、ＡＥ演算部１５１は、Ａ／Ｄ変換部１３４から出力されたＲ、Ｇ、Ｂの画像信号を積算し、その積算値を測光・測距用ＣＰＵ１３７に提供する。測光・測距用ＣＰＵ１３７は、ＡＥ演算部１５１から入力する積算値に基づいて被写体の平均的な明るさ（被写体輝度）を検出し、撮影に適した露出値（ＥＶ値）を算出する。
【００５８】
そして、測光・測距用ＣＰＵ１３７は、得られたＥＶ値に基づいて絞り１３１の絞り値（Ｆ値）及びＣＣＤ１３２の電子シャッタ（シャッタスピード）を含む露出値を所定のプログラム線図にしたがって決定する（ＡＥ動作）。
【００５９】
レリーズスイッチ１０４が全押し（Ｓ２オン）されると、測光・測距用ＣＰＵ１３７は、その決定した絞り値に基づいて絞り１３１を駆動し、絞り１３１の開口径を制御するとともに、決定したシャッタスピードに基づき、ＣＧ１３６を介してＣＣＤ１３２での電荷蓄積時間を制御する。
【００６０】
ＡＥ動作は、絞り優先ＡＥ，シャッタ速度優先ＡＥ，プログラムＡＥなどがあるが、いずれにおいても、被写体輝度を測定し、この被写体輝度の測光値に基づいて決められた露出値、すなわち絞り値とシャッタスピードとの組み合わせで撮影を行うことにより、適正な露光量で撮像されるように制御しており、面倒な露出決定の手間を省くことができる。
【００６１】
ＡＦ検出部１５０は、測光・測距ＣＰＵ１３７により選定された検出範囲に対応する画像データをＡ／Ｄ変換部１３４から抽出する。焦点位置を検出する方法は、合焦位置で画像データの高周波成分が最大振幅になるという特徴を利用して行う。ＡＦ検出部１５０は、抽出された画像データの高周波成分を１フィールド期間積分することにより、振幅値を算出する。ＡＦ検出部１５０は、測光・測距ＣＰＵ１３７がフォーカス用モータ１１１を駆動制御してフォーカスレンズ１０１ｂを可動範囲内、即ち無限遠側の端点（ＩＮＦ点）から至近側の端点（ＮＥＡＲ点）の間で移動させている間に順次振幅値の計算を実行し、最大振幅を検出した時に検出値を測光・測距ＣＰＵ１３７に送信する。
【００６２】
測光・測距ＣＰＵ１３７は、この検出値を取得して対応する合焦位置に、フォーカスレンズ１０１ｂを移動させるようにフォーカス用モータ１１１に指令を出す。フォーカス用モータ１１１は、測光・測距ＣＰＵ１３７の指令に応じてフォーカスレンズ１０１ｂを合焦位置に移動させる（ＡＦ動作）。
【００６３】
測光・測距用ＣＰＵ１３７は、メインＣＰＵ２０とのＣＰＵ間通信によってレリーズスイッチ１０４と接続されており、ユーザによりレリーズスイッチ１０４が半押しされた時に、この合焦位置の検出が行われる。また、測光・測距用ＣＰＵ１３７には、ズーム用モータ１１０が接続されており、メインＣＰＵ２０が、ズームスイッチ１２７によってユーザからのＴＥＬＥ方向又はＷＩＤＥ方向へのズームの指令を取得した場合に、ズーム用モータ１１０を駆動させることにより、ズームレンズ１０１ａをＷＩＤＥ端とＴＥＬＥ端との間で移動させる。
【００６４】
充電・発光制御部１３８は，ストロボ１０５ａを発光させるために電源電池６８からの電力の供給を受けて図示しない閃光発光用のコンデンサを充電したり、そのストロボ１０５ａの発光を制御する。
【００６５】
充電・発光制御部１３８は，電源電池６８の充電開始、レリーズスイッチ１０４の半押し・全押し操作信号等の各種の信号や、発光量、発光タイミングを示す信号をメインＣＰＵ２０や測光・測距ＣＰＵ１３７から取り込んだことに応じ、セルフタイマランプ（タリーランプ）１０５ｃやＡＦ補助光ランプ１０５ｂへの電流供給制御を行い、所望の発光量が所望のタイミングで得られるように制御する。
【００６６】
なお、セルフタイマランプ１０５ｃはＬＥＤで構成してもよく、ＡＦ補助光ランプ１０５ｂを構成するＬＥＤと共通にしてもよい。
【００６７】
メインＣＰＵ２０には、セルフタイマ回路８３が接続されている。メインＣＰＵ２０は、セルフ撮影モードが設定されている場合、レリーズスイッチ１０４の全押し信号に基づいて計時を行なう。この計時中に、メインＣＰＵ２０は測光・測距ＣＰＵ１３７を介し、残り時間に合わせて点滅速度をだんだんと早めながら、セルフタイマランプ１０５ｃを点滅させる。セルフタイマ回路８３は、計時完了後に計時完了信号をメインＣＰＵ２０に入力する。メインＣＰＵ２０は、計時完了信号に基づいて、ＣＣＤ１３２にシャッタ動作を実施させる。
【００６８】
通信制御部１３９には、通信ポート１０７が備えられており、この通信制御部１３９は、カメラ１００により撮影された被写体の画像信号をブログサーバ２等の外部装置に通信ポート１０７経由で有線・無線送信したり、外部装置からウェブページその他のデータを通信ポート１０７経由で有線・無線受信することにより、その外部装置との間でデータ通信を行う。
【００６９】
また、このカメラ１００は、ロール状の写真フイルムに写真撮影を行なう通常のカメラが有するＩＳＯ感度８０，１００，２００，４００，１６００等に切り替える機能を模擬した機能を有し、ＩＳＯ感度４００以上に切り替えられた場合、白バランス・γ処理部１３３の増幅器の増幅率が所定の増幅率を越えた高増幅率に設定された高感度モードとなる。通信制御部１３９は、高感度モードでの撮影中は、外部装置との通信を停止する。
【００７０】
また、カメラ１００には、圧縮・伸長＆ＩＤ抽出部１４３と、Ｉ／Ｆ部１４４が備えられている。圧縮・伸長＆ＩＤ抽出部１４３は、バッファメモリ１３５に格納された画像データを、バスライン１４２を介して読み出して圧縮し、Ｉ／Ｆ部１４４を経由してメモリカード２００に格納する。また、圧縮・伸長＆ＩＤ抽出部１４３は、メモリカード２００に格納された画像データの読み出しにあたり、メモリカード２００固有の識別番号（ＩＤ）を抽出し、そのメモリカード２００に格納された画像データを読み出して伸長し、バッファメモリ１３５に格納する。
【００７１】
バッファメモリ１３５に格納されたＹ／Ｃ信号は、圧縮・伸長＆ＩＤ抽出部１４３によって所定のフォーマットに従って圧縮された後、Ｉ／Ｆ１４４を介してメモリカード２００のようなリムーバブルメディアないしハードディスク（ＨＤＤ）７５のような内蔵型大容量記憶媒体に所定の形式（例えばExif（Exchangeable Image File Format）ファイル）で記録される。ハードディスク（ＨＤＤ）７５へのデータ記録またはハードディスク（ＨＤＤ）７５からのデータの読込みは、メインＣＰＵ２０の指令に応じてハードディスクコントローラ７４によって制御される。
【００７２】
また、カメラ１００には、メインＣＰＵ２０と、ＥＥＰＲＯＭ１４６と、ＹＣ／ＲＧＢ変換部１４７と、表示用のドライバ１４８とが備えられている。メインＣＰＵ２０は、このカメラ１００全体の制御を行なう。ＥＥＰＲＯＭ１４６には、このカメラ１００固有の固体データやプログラム等が格納されている。ＹＣ／ＲＧＢ変換部１４７は、ＹＣ処理部１４０で生成されたカラー映像信号ＹＣを３色のＲＧＢ信号に変換して表示用のドライバ１４８を経由して画像表示ＬＣＤ１０２に出力する。
【００７３】
また、カメラ１００は、ＡＣ電源から電力を得るためのＡＣアダプタ４８と電源電池６８とが着脱可能な構成となっている。電源電池６８は充電可能な二次電池、例えばニカド電池、ニッケル水素電池、リチウムイオン電池で構成される。電源電池６８は使い切り型の一次電池、例えばリチウム電池、アルカリ電池で構成してもよい。電源電池６８は図示しない電池収納室に装填することにより、カメラ１００の各回路と電気的に接続される。
【００７４】
ＡＣアダプタ４８がカメラ１００に装填されＡＣ電源からＡＣアダプタ４８を介してカメラ１００に電力が供給される場合には、電源電池６８が電池収納室に装填されている場合であっても、優先的に当該ＡＣアダプタ４８から出力された電力がカメラ１００の各部に駆動用の電力として供給される。また、ＡＣアダプタ４８が装填されておらず、かつ電源電池６８が電池収納室に装填されている場合には、当該電源電池６８から出力された電力がカメラ１００の各部に駆動用の電力として供給される。
【００７５】
なお、図示しないが、カメラ１００には、電池収納室内に収納される電源電池６８とは別にバックアップ電池が設けられている。内蔵バックアップ電池には例えば専用の二次電池が用いられ、電源電池６８によって充電される。バックアップ電池は、電源電池６８の交換や取り外し等、電源電池６８が電池収納室に装填されていない場合、カメラ１００の基本機能に給電する。
【００７６】
即ち、電源電池６８又はＡＣアダプタ４８からの電源供給が停止すると、バックアップ電池がスイッチング回路（図示せず）によってＲＴＣ１５等に接続され、これらの回路に給電する。これにより、バックアップ電池２９が寿命に達しない限り、ＲＴＣ１５等の基本機能には、電源供給が間断なく継続する。
【００７７】
ＲＴＣ（Real Time Clock）１５は計時専用のチップであり、電源電池６８やＡＣアダプタ４８からの給電がオフされていてもバックアップ電池から電源供給を受けて継続的に動作する。
【００７８】
画像表示ＬＣＤ１０２には透過型又は半透過型の液晶パネル７１を背面側から照明するバックライト７０が配設されており、省電力モードの場合には、メインＣＰＵ２０によりそのバックライト７０の明るさ（輝度）がバックライトドライバ７２を介して制御され、バックライト７０の消費電力が低減されるようになっている。また、省電力モードは、操作部１２０の情報位置指定キー１２６を押して画像表示ＬＣＤ１０２にメニュー画面を表示させ、そのメニュー画面で所定の操作を行うことによってオン／オフを設定することができるようになっている。
【００７９】
図４は、モードダイヤル１２３を上面から見た図である。モードダイヤル１２３は、回動可能なダイヤル式のスイッチで構成されている。モードダイヤル１２３には、各動作モードを直感的に認識可能なマークであるアイコンが印刷されている。モードダイヤル１２３は、図中矢印方向（時計回り又は反時計回り）に回転可能であり、撮像者は、所望の動作に対応したアイコンが位置合わせマーク９７の位置にくるようにモードダイヤル１２３を回転させることにより、動作モードを選択することができる。
【００８０】
この図では、アイコン１２３−１は、「ブログモード」に対応している。その他のモードの種類には、例えば、静止画を撮影する静止画の撮影モードと、動画を撮影する動画の撮影モードとがあり、更に静止画の撮影モードには、シャッタスピード、絞り値等の撮影条件を自動で設定するオートモード、それらの撮影条件の設定をマニュアルで行うマニュアルモード、人物撮影、風景撮影、スポーツ撮影、夜景撮影のように各撮影シーンに応じて適切なシャッタスピード、絞り値、露出値、ホワイトバランスその他の撮影条件に自動設定する各撮影モード（人物モード、ポートレート撮影モード、風景モード、スポーツモード、夜景モード）などがある。
【００８１】
この「ブログモード」のアイコン１２３−１を位置合わせマーク９７に合わせることでブログモードが設定される。ブログモードが設定されると、画像記録に際し、これに応じた処理が行われる。
【００８２】
ただし、モードダイヤル１２３によって動作モードを設定する必然性はない。例えば、画像表示ＬＣＤ１０２に表示された撮像モードのメニューから十字キー１２４と情報位置指定キー１２６の操作によってブログモードその他の任意の動作モードを設定できるようにすることも可能である。
【００８３】
あるいは、図２に示したように、操作部１２０の一部として「ブログモード」ボタン１２８をカメラボディ外面に設け、「ブログモード」ボタン１２８が押下されたことに応じてブログモードを設定してもよい。
【００８４】
図５はメインＣＰＵ２０の実行するプログラムをブロック図で概念的に示している。メインＣＰＵ２０は、ＥＥＰＲＯＭ１４６やハードディスク７５等のコンピュータ読み取り可能な記憶媒体に記憶されたプログラムモジュールであるブログメニュー表示部２０ａ、ＨＴＭＬタグ解析部２０ｂ、Ｅｘｉｆタグ制御部２０ｃ、フォルダ制御部２０ｄ、ファイル制御部２０ｅ、ブログ画像作成部２０ｇ、ブログアドレス管理部２０ｌ、ブログ投稿部２０ｍを実行する。
【００８５】
ブログメニュー表示部２０ａは、ＯＳＤ信号発生回路１４８ａを制御して、後述するブログメニューや詳細メニューの映像信号を生成・出力させる。ＯＳＤ信号発生回路１４８ａから出力されたブログメニューの映像信号は、ＹＣ／ＲＧＢ変換部１４７からの画像信号に混合されて、液晶パネル７１に供給される。
【００８６】
ＨＴＭＬタグ解析部２０ｂは、ブログサーバ２から受信したウェブログサイトその他のウェブページを記述するＨＴＭＬファイルのＨＴＭＬタグを解析し、解析結果に従ってウェブページを液晶パネル７１に表示する。
【００８７】
ブログアドレス管理部２０ｌは、ウェブログをアップロードする特定のブログサーバ２のウェブログサイトのＵＲＬの保存、変更、削除または追加を管理する。ウェブログサイトのＵＲＬは、ＥＥＰＲＯＭ１４６、ＨＤＤ７５、図示しないフラッシュメモリなどに保存されている。
【００８８】
ブログ投稿部２０ｍは、後述するブログ用フォルダ内のブログ用画像や、操作部１２０の操作に従って指定された任意の文章を、ウェブブログサイトで指定されるブログサーバ２に送信する。
【００８９】
フォルダ制御部２０ｄは、ブログ投稿部２０ｍがブログ用画像として送信する画像を格納するブログ用フォルダ、写真プリントや画面表示など通常の用途に使用される画像（通常画像）を格納する通常用フォルダをそれぞれ独立別個にメモリカード２００に作成するこれら別個のフォルダに画像を格納することで、通常画像とブログ用画像とを分類する。なお、通常用フォルダとブログ用フォルダは、必ずしも同一の記録媒体に作成する必要はない。例えば、通常用フォルダはメモリカード２００、ブログ用フォルダはＨＤＤ７５や図示しないフラッシュメモリに作成するなど、それぞれ別の記録媒体に作成してもよい。
【００９０】
ファイル制御部２０ｅは、メモリカード２００の画像ファイルの展開、あるいはバッファメモリ１３５の画像データの圧縮記録など、画像ファイルの読み書きを制御する。
【００９１】
ブログ画像作成部２０ｇは、複数のプログラムモジュールである、サイズ変換部２０ｇ−１、輪郭抽出部２０ｇ−２、顔・目検出部２０ｇ−３、目マスク制御部２０ｇ−４、画像合成制御部２０ｇ−５、フレーム制御部２０ｇ−６で構成される。ブログ画像作成部２０ｇは、これらの複数のプログラムモジュールのうち少なくとも１つを実行することでブログ用画像を作成する。
【００９２】
サイズ変換部２０ｇ−１は、バッファメモリ１３５に記憶された画像を、ブログ投稿に適したサイズに変換する機能（リサイズ機能）を有している。どのようなサイズに変換するかは、操作部１２０によって任意に指定できる。
【００９３】
輪郭抽出部２０ｇ−２は、バッファメモリ１３５に記憶された画像から、ボール、建築物、車両その他の特定の物体の輪郭を認識する。特定の物体の輪郭は、輪郭パターンとして予めＨＤＤ７５などに登録されている。輪郭抽出部２０ｇ−２は、ＡＦ合焦している位置の被写体を被写体の中心と仮定し、その中心を囲む閉曲線（輪郭のつながり）を認識もしくは予測することで、輪郭を認識する。あるいは輪郭抽出部２０ｇ−２は、画像のコントラスト差やエッジ部分を検出し、これを輪郭パターンとマッチングすることで、特定の輪郭を認識してもよい。輪郭抽出部２０ｇ−２は、特定の輪郭を認識すると、この輪郭で囲まれる画像領域を抽出する。
【００９４】
顔・目検出部２０ｇ−３は、バッファメモリ１３５に記憶された画像から人物の顔部分を含む領域である顔領域を検出する。顔領域の検出方法としては、例えば本出願人による特開平９−１０１５７９号公報において開示された技術を適用することができる。
【００９５】
この技術は、撮影した画像の各画素の色相が肌色の範囲に含まれるか否かを判定して肌色領域と非肌色領域とに分割すると共に、画像中のエッジを検出して画像中の各箇所をエッジ部分又は非エッジ部分に分類する。そして、肌色領域内に位置し非エッジ部分に分類された画素からなり、かつエッジ部分と判定された画素で囲まれた領域を顔候補領域として抽出し、抽出した顔候補領域が人物の顔に相当する領域かを判定し、この判定結果に基づき顔領域として検出するものである。また、この他に、特開２００３−２０９６８３号公報や特開２００２−１９９２２１号公報に記載される方法で顔領域を検出することもできる。
【００９６】
さらに顔・目検出部２０ｇ−３は、画像から検出した顔領域から目の存在する目領域を検出する。目領域は顔検出の結果得られる顔概略中心位置の相対的位置関係から検出することができる。
【００９７】
目マスク制御部２０ｇ−４は、顔・目検出部２０ｇの検出した被写体の目領域の閲覧を困難にする画像処理（例えば被写体の目領域を隠すような画像処理）を行うことで、被写体の目を閲覧困難にし、被写体のプライバシーや肖像権を保護する。この画像処理の例を挙げると、黒色の目隠し線その他の画像の合成処理、モザイク処理、低解像度処理、ぼかし処理、エンボス加工処理である。
【００９８】
画像合成制御部２０ｇ−５は、バッファメモリ１３５に記憶された複数の画像を一体化させることで新たな１つの静止画像を作成する。
【００９９】
フレーム制御部２０ｇ−６は、予め指定されたフレーム画像と、バッファメモリ１３５に記憶された画像とを合成し、新たな１つの画像を作成する。
【０１００】
＜第１実施形態＞
以下、図６のフローチャートを参照し、ＣＰＵ２０の実行する画像記録処理の流れを説明する。
【０１０１】
Ｓ１では、「ブログモード」ボタン１２８またはモードダイヤル１２３により「ブログモード」の設定を受け付ける。
【０１０２】
Ｓ２では、図示しない初期メニューを介して、サイズ変換部２０ｇ−１が、特定のウェブログサイト用画像にアップロードする画像のサイズ（ブログ用サイズ、例えばＶＧＡ）の設定、ブログサーバ２のアドレスの設定、通常画像のサイズの設定（通常サイズ、例えば５Ｍ）を受け付ける。フォルダ制御部２０ｄは、ブログ用画像を格納する専用のフォルダ（ブログ用フォルダ）と、通常画像を格納するための専用フォルダ（通常用フォルダ）をメモリカード２００に作成する。ただし、すでに双方のフォルダが存在していれば新たな作成は行わない。
【０１０３】
Ｓ３では、レリーズスイッチ１０４の押下に応じてＣＣＤ１３２にシャッタ動作を行わせ、画像データを取得する。
【０１０４】
Ｓ４では、サイズ変換部２０ｇ−１が、シャッタ動作の結果バッファメモリ１３５に記憶された画像データ（原画像）に対し、設定されたブログ用画像サイズ（例えば６４０×４８０のＶＧＡ）に応じたリサイズ処理を行う。ファイル制御部２０ｅは、サイズ変換部２０ｇ−１がリサイズ処理した画像を所定のファイル形式（Ｅｘｉｆ方式やＪＰＥＧ方式）に変換することでブログ用画像を作成する。なお、サイズ変換部２０ｇ−１は、未加工の原画像あるいは適当な画像処理の実施された原画像を通常サイズに変換し、ファイル制御部２０ｅは、この通常サイズの原画像を所定のファイル形式に変換することで、写真プリントその他ブログ公開以外に使用される通常画像を作成する。
【０１０５】
Ｓ５では、フォルダ制御部２０ｄは、ブログ用フォルダにブログ用画像を格納するとともに、通常画像を通常用フォルダに格納する（図７参照）。
【０１０６】
Ｓ６では、ブログ投稿部２０ｍは、ブログサーバ２と通信可能な状態になったか否かを判断する。例えば、この判断は、通信制御部１３９がブログサーバ２と繋がっている無線通信スポットと接続したか否かを判断することで行う。ブログ投稿部２０ｍは、通信可能な状態となったと判断したことに応じ、ブログ用フォルダに格納されているブログ用画像を、ブログサーバ２に送信する（図８参照）。ブログ投稿部２０ｍは、ブログ用画像の送信完了後、ブログ用フォルダのブログ用画像を削除する。ただし、通常用フォルダの通常画像は、引き続き格納されたままである。
【０１０７】
このように、本実施形態に係るカメラ１００は、ブログ投稿用に適したサイズの画像を撮影時に作成し、ブログ用画像と通常画像を別々のフォルダに分類して保存する。ユーザは、自分でブログ投稿の度にいちいち画像をリサイズする手間をかけずにすむ。
【０１０８】
また、カメラ１００は、ブログサーバ２と通信可能な状態となったことを検知すると、ブログ用画像を自動的にブログサーバ２に送信するから、ユーザは自分でブログサーバ２にいちいちアクセスしてブログ用画像を送信する手間をかけずに済む。
【０１０９】
また、カメラ１００は、送信し終わったブログ用画像を自動的に削除するから、ユーザは投稿完了で不要となったブログ用画像を整理する手間をかけずに済む。
【０１１０】
つまり、ブログ投稿に適したサイズの画像の作成、送信、および整理が全て自動的に行われ、ユーザはブログ用の画像の作成、送信、整理を意識する必要がない。
【０１１１】
さらに、通常用フォルダには通常画像が別途格納されているから、通常画像を用いて写真プリントを行ったりＬＣＤ１０２に表示させたりすることも可能である。
【０１１２】
＜第２実施形態＞
第１実施形態の画像記録処理のＳ５で示したように、通常画像は通常用フォルダに格納され、ブログ用画像はブログ用フォルダに格納され、両者は区別される。これを利用して、通常画像のみを表示、あるいはブログ用画像のみを表示、あるいは通常画像とブログ用画像の双方を表示のうち、いずれかの表示形態を選別してＬＣＤ１０２に表示することができる。
【０１１３】
例えば、所定のメニュー画面から、「通常用フォルダの画像のみ表示」項目、「ブログ用フォルダの画像のみ表示」項目、「通常用フォルダの画像とブログ用フォルダの画像の双方の画像を表示」項目のうち、いずれか１つを選択可能にしておく。
【０１１４】
「通常用フォルダの画像のみ表示」項目が選択された場合、ファイル制御部２０ｅは、圧縮・伸長＆ＩＤ抽出部１４３を制御して、メモリカード２００に作成された通常用フォルダに格納されている通常画像を読み出して伸長し、バッファメモリ１３５に格納する。バッファメモリ１３５に格納されたＹ／Ｃ信号は、ＹＣ／ＲＧＢ変換部１４７を通じてＲＧＢ信号に変換されて表示用のドライバ１４８を経由して画像表示ＬＣＤ１０２に出力される。
【０１１５】
かつファイル制御部２０ｅは、メモリカード２００のブログ用フォルダを認識し、ブログ用フォルダに格納されている画像の表示が指示されても、この動作を無視し、圧縮・伸長＆ＩＤ抽出部１４３によるブログ用画像の読み出し・伸長を行わない。
【０１１６】
こうすると、通常画像はＬＣＤ１０２に表示されるが、ブログ用画像はＬＣＤ１０２に表示されないから、サイズは違うが実質的には同じ内容の画像である通常画像とブログ用画像の両方が重複して表示されるのを防げる。
【０１１７】
また、「ブログ用フォルダの画像のみ表示」項目が選択された場合は、ブログ用フォルダに格納されている画像を読み出し、通常用フォルダに格納されている画像の読み出しを無視すれば、ブログ用画像のみがＬＣＤ１０２に表示されることになる。
【０１１８】
また、「通常用フォルダの画像とブログ用画像の双方の画像を表示」項目が選択された場合は、通常用フォルダおよびブログ用フォルダに格納されているいずれの画像も読み出し可能にし、通常画像とブログ用画像の双方ともＬＣＤ１０２に表示可能にする。
【０１１９】
なお、ユーザが特に、同一被写体を有する通常画像とブログ用画像の双方を対比して鑑賞したい場合も想定される。そこで、通常用フォルダに格納されている画像およびブログ用フォルダに格納されている画像のうち、同一の被写体を有する画像については同一の識別情報を付与しておく。これは、例えば、同一の原画像から作成された通常画像およびブログ用画像に、同一のタグ情報やヘッダ情報を付与することで行うことができる。
【０１２０】
そして、「通常用フォルダの画像とブログ用フォルダの画像の双方の画像を表示」項目の下位の項目として「対比して表示」項目を設け、これが選択された場合は、同一の識別情報が付与された通常画像およびブログ用画像を、通常用フォルダ・ブログ用フォルダからそれぞれ読み出し、双方の画像を並列させたりあるいは親子画面のようなレイアウトで配置したり、あるいは交互に切り替えるように表示すると、両者を対比して鑑賞することができる。
【０１２１】
＜第３実施形態＞
原画像を縮小する以外にも、ユーザが任意に指定した各種の画像処理を原画像に施して得られた画像をブログ画像としてもよい。
【０１２２】
例えば図９に示すような詳細メニューで、「背景部分切り取り」、「プライバシー処理」、「動きのある写真」、「連続写真を並べる」、「動画」、「フレーム」といった、原画像からブログ用画像を作成するために行うべき画像処理の内容を任意に１または複数指定できるようにする。詳細メニューによる画像処理の指定は、撮影をする前に予め表示しておく必要がある。なお、このメニューの項目の１つとして、リサイズ処理を指定する「縮小」を入れてもよい。
【０１２３】
図１０は、詳細メニューによる画像処理の指定がされる処理を含む画像記録処理の流れを概略的に示す。
【０１２４】
Ｓ１１では、上述のＳ１と同様の処理を行う。
【０１２５】
Ｓ１２では、ブログモードが設定されたことに応じて詳細メニューをＬＣＤ１０２に表示し、原画像に対して行うべき１または複数の画像処理の内容を指定させる。
【０１２６】
Ｓ１３では、上述のＳ３と同様の処理を行う。
【０１２７】
Ｓ１４では、ブログ画像作成部２０ｇは、詳細メニューで指定された画像処理に対応するモジュールを起動して、指定の画像処理を原画像に施すことにより、ブログ用画像を作成する。また、Ｓ４と同様通常画像も作成される。
【０１２８】
Ｓ１５では、ファイル制御部２０ｅは、Ｓ５と同様、通常画像は通常用フォルダ、ブログ用画像はブログ用フォルダに格納する。ただし、得られたブログ用画像がユーザの希望に沿ったものか確認させた上で格納することが望ましいため、原画像に指定の画像処理を施した結果得られた画像（加工画像）をＬＣＤ１０２に表示する。
【０１２９】
ここで、情報位置指定キー１２６から「ＯＫ」が入力された場合、ファイル制御部２０ｅは、加工画像を所定のファイル形式に変換してブログ用画像を作成し、ブログ用フォルダに格納する。情報位置指定キー１２６から「ＮＧ」が入力された場合は得られた加工画像をバッファメモリ１３５から破棄する。
【０１３０】
なお、加工画像の出来具合は、通常画像とは無関係であることを重視したければ、情報位置指定キー１２６から「ＯＫ」や「ＮＧ」のいずれが入力されても、通常画像を通常用フォルダに格納してもよい。あるいは、通常画像の格納とブログ用画像の格納を連動させたければ、情報位置指定キー１２６から「ＯＫ」が入力された場合、ファイル制御部２０ｅは、通常画像を作成・格納し、情報位置指定キー１２６から「ＮＧ」が入力された場合は原画像をバッファメモリ１３５から破棄するとよい。
【０１３１】
Ｓ１６は、Ｓ６と同様の処理を行う。
【０１３２】
次に、ブログ画像作成部２０ｇが詳細メニューから指定された画像処理に対応して行う画像処理の詳細を説明する。
【０１３３】
（１）「背景部分切り取り」の場合
Ｓ１２において、詳細メニューから「背景部分切り取り（物体撮影）」が指定された場合、Ｓ１４では、輪郭抽出部２０ｇ−２は、Ｓ１３の撮影処理によって新規に得られた原画像から、特定の物体の輪郭を認識する。そして、認識した物体の輪郭を基準に、特定の物体の画像を抽出することでブログ用画像を作成する。なお、「背景部分切り取り（物体撮影）」が指定されたときに、合焦被写体が所定の近接範囲内にある場合は、マクロモードを設定して撮影することで画像を得てもよい。この場合、輪郭抽出部２０ｇ−２の抽出した画像が、メニューで指定されたサイズよりも大きければ、サイズ変換部２０ｇ−１が指定サイズに変換してもよい。
【０１３４】
例えば図１１（ａ）に示すように、特定の物体が球状のボールであれば、図１１（ｂ）に示すようにそのボール部分の画像が抽出され、ブログ用画像となる。そして図１２に示すように、通常画像は通常用フォルダ、ブログ用画像はブログ用フォルダにそれぞれ別々に格納されるから、不要な背景部分が取り除かれたブログ用画像がブログサーバ２に送信されることになる。
【０１３５】
ただし、物体の抽出の精度が低い場合もあるから、精度が低い場合は、抽出結果として得られた複数の候補を列挙し、その中からユーザが任意の抽出画像を指定し、指定された抽出画像をブログ用画像として格納してもよい。
【０１３６】
また、抽出すべき特定の物体はボールに限らず、映画パンフレットの写真部分や人形などでもよい。
【０１３７】
このように、原画像から特定の物体のみを抽出し、不要な背景部分が取り除かれた画像をブログ用画像として公開することが可能である。
【０１３８】
かつ、抽出処理の行われていない画像は、通常用フォルダに確保されているから、この画像を写真プリントなどの用途に供することができる。
【０１３９】
（２）「プライバシー処理」の場合
Ｓ１２において、詳細メニューから「プライバシー処理」が指定された場合、Ｓ１４において、顔・目抽出部２０ｇ−３は、新規に得られた原画像から、人物の目を認識する。そして、目マスク処理部２０ｇ−４は、被写体の目領域を隠すような所定の画像処理を行うことでブログ用画像を作成する。
【０１４０】
例えば図１３（ａ）に示すような人物の顔から目領域Ｒが検出された場合、目マスク処理部２０ｇ−３は、被写体の目領域を隠すよう、黒色帯状の目隠し線を原画像に合成し、かつサイズ変換部２０ｇ−１が「プライバシー処理」後の原画像を指定のサイズに変換することで、ブログ用画像を作成する。
【０１４１】
そして図１４に示すように、特に目領域に画像処理が施されていない通常画像は通常用フォルダ、ブログ用画像はブログ用フォルダにそれぞれ別々に格納されるから、人物の目領域が認識困難な画像がブログサーバ２に送信されることになる。
【０１４２】
このように、人物の顔が写っている画像をウェブログサイトで公開する際、人物の目が特定できないように加工し、被写体のプライバシーや肖像権を保護することができる。
【０１４３】
かつ、プライバシー処理の行われていない画像は、通常用フォルダに確保されているから、この画像を写真プリントなどの用途に供することができる。
【０１４４】
（３）「動きのある写真」の場合
Ｓ１２において、詳細メニューから「動きのある写真」が指定され、かつＳ１３で「連写モード」によって複数の原画像が連続して撮影された場合、Ｓ１４では、サイズ変換部２０ｇ−１は、複数の原画像のそれぞれを指定のブログ用サイズに変換することでブログ用画像を作成する。連写モードとは、レリーズスイッチ１０４が継続的に全押しされている（いわゆる「長押し」）限り、ＡＦ・ＡＥ動作とＣＣＤ１３２のシャッタ動作を所定間隔で繰り返し実施させ、複数の画像を連続的に取得する動作を表す。
【０１４５】
Ｅｘｉｆタグ制御部２０ｃは、１回の長押しに応じた連続撮影で得られた複数の原画像に基づいて作成されたブログ用画像のファイルのヘッダ部分、例えばＥｘｉｆファイルのタグ部分に、１回の長押しによる同一の連続撮影で得られた一連の画像であることを示す情報（連写情報）を記録する。
【０１４６】
例えば図１５（ａ）〜（ｄ）に示すような複数の原画像Ｉ１〜Ｉ４が連続撮影で得られたとする。Ｅｘｉｆタグ制御部２０ｃは、これらの原画像からそれぞれ得られたブログ用画像Ｊ１〜Ｊ４を格納するＥｘｉｆファイルのヘッダに、それぞれ共通の連写情報（共通の通し番号や文字列など）を記録する。連写情報を格納する専用のタグをＥｘｉｆファイルに設けてもよい。
【０１４７】
なお、通常画像のファイルには連写情報を記録してもよいし記録しなくてもよい。
【０１４８】
図１６に示すように、フォルダ制御部２０ｄは、連写情報の記録されたブログ用画像Ｊ１〜Ｊ４のファイルをブログ用フォルダに格納するとともに、通常画像を通常用フォルダに格納するから、複数のブログ用画像Ｊ１〜Ｊ４が一括してブログサーバ２に送信されることになる。
【０１４９】
ブログサーバ２は、カメラ１００から受信した複数のブログ用画像のうち、同一の連続撮影で得られた画像Ｊ１〜Ｊ４を、連写情報により識別できる。
【０１５０】
そうすると図１７に示すように、ブログサーバ２は、同一の連続撮影で得られた一連のブログ用画像Ｊ１〜Ｊ４を、ウェブログページＰの受信側端末（閲覧端末）で例えば１枚あたり１秒間ずつ順次スライドショーのように再生させるＨＴＭＬタグ情報を、ウェブログページＰを構成するＨＴＭＬファイルに埋め込むことができる。
【０１５１】
ウェブログページＰの受信側端末では、連写撮影された画像が順次表示されるから、連写された画像を撮影順に従って１枚ずつめくるように鑑賞することができ、画像の動きを楽しめる。
【０１５２】
（４）「連続写真を並べる」の場合
Ｓ１２において、詳細メニューから「連続写真を並べる」が指定され、かつＳ１３で「連写モード」によって複数の原画像が連続して撮影された場合、Ｓ１４では、画像合成制御部２０ｇ−５は、複数の原画像を一体化させることで一つのブログ用画像を作成する。
【０１５３】
例えば図１５（ａ）〜（ｄ）に示すような４つの原画像Ｉ１〜Ｉ４が連続的な撮影で得られたとする。この場合図１８に示すように、画像合成制御部２０ｇ−４は、４つの原画像Ｉ１〜Ｉ４をタイル状に配列して一体化した画像（一体化画像）を作成し、かつサイズ変更部２０ｇ−１がこの画像をブログサイズに変換することでブログ用画像Ｂを作成する。ブログ用画像Ｂはブログ用フォルダに格納される。一方、ファイル制御部２０ｅは、各原画像をそれぞれ通常サイズに変換して通常画像を作成するか、あるいは一体化画像を通常サイズに変換して通常画像を作成し、通常用フォルダに格納する。
【０１５４】
こうすると、ウェブログサイトでは、同一の機会で連写した画像を１つの画像として鑑賞できる。
【０１５５】
かつ、通常用フォルダに確保されている画像を写真プリントなどの用途に供することができる。
【０１５６】
（５）「動画」の場合
Ｓ１２において、詳細メニューから「動画」が指定された場合、Ｓ１４では、ブログ用画像が予め設定された動画ファイルサイズの制限範囲内になるよう、サイズ変換部２０ｇ−１が原画像を指定サイズに変換し、ファイル制御部２０ｅがリサイズされた原画像に基づいて動画ファイルを作成し、これをブログ用画像としてメモリカード２００のブログ用フォルダに記録する。
【０１５７】
その一方で、ファイル制御部２０ｅは、原画像に基づいて特にサイズ変換や記録時間の制限がない動画ファイルを作成し、この画像は通常画像として通常用フォルダに格納される。
【０１５８】
ただし、サイズ変換部２０ｇ−１が原画像のサイズ変換をしても動画ファイルサイズの制限範囲を超えてしまう場合、ファイル制御部２０ｅは、制限ファイルサイズ内に収まるよう動画ファイルの記録時間を制限し、制限された記録時間の範囲内で原画像からブログ用画像動画を作成してもよい。
【０１５９】
こうすると、ユーザは動画のサイズを気にしなくても、ブログサーバ２へのアップロードに適したサイズで動画が記録される。
【０１６０】
かつ、特別の処理が行われていない動画像は、通常用フォルダに確保されているから、この画像を個人的な閲覧などの用途に供することができる。
【０１６１】
（６）「フレーム」の場合
Ｓ１２において、詳細メニューから「フレーム」が指定された場合、Ｓ１４では、まずフレーム制御部２０ｇ−６は、予めメニューから指定されたフレーム画像が原画像を覆うように両者を合成する。サイズ変換部２０ｇ−１は、合成画像を指定サイズに変換することでブログ用画像を作成し、ブログ用フォルダに格納する。
【０１６２】
例えば、図２０（ａ）のようなフレーム画像、図１８（ｂ）のような原画像があれば、フレーム制御部２０ｇ−６は、図１８（ｃ）に示すような合成画像を作成し、これを適宜縮小した後、ブログ用画像としてブログ用フォルダに記録する。
【０１６３】
一方、ファイル制御部２０ｅは、原画像に基づいて特にフレーム画像の合成されていない通常画像を作成し、通常用フォルダに格納する。
【０１６４】
このように、ブログ公開用の画像に所望のフレーム画像を合成することも可能である。
【０１６５】
かつ、フレーム画像の合成の行われていない画像は、通常用フォルダに確保されているから、この画像を写真プリントなどの用途に供することができる。
【図面の簡単な説明】
【０１６６】
【図１】デジタルカメラの正面図
【図２】デジタルカメラの背面図
【図３】デジタルカメラのブロック構成図
【図４】モードダイヤルの上面図
【図５】メインＣＰＵの実行するプログラムを概念的に示した図
【図６】第１実施形態に係る画像記録処理の流れを示すフローチャート
【図７】メモリカードに別々に作成されたブログ用フォルダと通常専用フォルダを概念的に示す図
【図８】ブログ用フォルダに格納されたブログ用画像がブログサーバにアップロードされる様子を示す図
【図９】詳細メニューの一例を示す図
【図１０】第２実施形態に係る画像記録処理の流れを示すフローチャート
【図１１】原画像から特定の物体が抽出されることで得られたブログ用画像を示す図
【図１２】特定の物体が抽出されることで得られたブログ用画像がブログ用フォルダに格納される様子を示す図
【図１３】目領域の検出された原画像および目隠し線の合成された画像の一例を示す図
【図１４】目隠し線の合成されたブログ用画像が専用フォルダに格納される様子を示す図
【図１５】同一の連続撮影で得られた一連の画像を示す図
【図１６】同一の連続撮影で得られた一連の画像がブログ用フォルダに格納される様子を示す図
【図１７】同一の連続撮影で得られた一連の画像がウェブログサイトの受信側で順次表示されていく様子を示す図
【図１８】連続的な撮影で得られた一連の画像が一体化されることで得られたブログ用画像を示す図
【図１９】連続的な撮影で得られた一連の画像が一体化されることで得られたブログ用画像がブログ用フォルダに格納される様子を示す図
【図２０】原画像にフレーム画像を合成することで得られたブログ用画像の一例を示す図
【符号の説明】
【０１６７】
２０：メインＣＰＵ、８３：セルフタイマ回路、１０１：撮影レンズ、１０５ｃ：セルフタイマランプ、１３２：ＣＣＤ、１３４：Ａ／Ｄ変換部、１５０：ＡＦ検出部、１５１：ＡＥ演算部
【図１】
2008034963.tif 000003
【図２】
2008034963.tif 000004
【図３】
2008034963.tif 000005
【図４】
2008034963.tif 000006
【図５】
2008034963.tif 000007
【図６】
2008034963.tif 000008
【図７】
2008034963.tif 000009
【図８】
2008034963.tif 000010
【図９】
2008034963.tif 000011
【図１０】
2008034963.tif 000012
【図１１】
2008034963.tif 000013
【図１２】
2008034963.tif 000014
【図１３】
2008034963.tif 000015
【図１４】
2008034963.tif 000016
【図１５】
2008034963.tif 000017
【図１６】
2008034963.tif 000018
【図１７】
2008034963.tif 000019
【図１８】
2008034963.tif 000020
【図１９】
2008034963.tif 000021
【図２０】
2008034963.tif 000022